(57)【要約】【課題】プラズマディスプレイパネルの放電を安定して確実に発生させると共に、輝度を向上させる。【解決手段】放電セル内に具備した３本以上の放電維持電極のうち、放電セル内において前記放電維持電極のうち両側を放電維持電極に挟まれた放電維持電極の、放電空間と放電維持電極との容量がその中心軸上において、その他の部分よりも小さい。  これにより、壁電荷が分割されるので、放電セル内において複数の放電が確実に安定して発生するため、プラズマディスプレイパネルの輝度が向上する。【選択図】図１
2005071904.tif 000002
【特許請求の範囲】
【請求項１】
前面板に形成され互いに隣り合う電極に異なる電圧が印加される３本以上の放電維持電極と、放電空間を挟み対向する背面板に前記放電維持電極と交差する方向に形成されたアドレス電極とを備えた放電セルを有するプラズマディスプレイパネルであって，
前記放電空間と前記放電維持電極との容量が、前記放電セル内において前記放電維持電極のうち両側を前記放電維持電極に挟まれた前記放電維持電極の中心軸上の少なくとも一部において、その他の部分よりも小さいことを特徴とするプラズマディスプレイパネル。
【請求項２】
前面板に形成され互いに隣り合う電極に異なる電圧が印加される３本以上の放電維持電極と、放電空間を挟み対向する背面板に前記放電維持電極と交差する方向に形成されたアドレス電極とを備えた放電セルを有するプラズマディスプレイパネルであって，
前記前面板の前記放電セル内における前記放電維持電極のうち両側を前記放電維持電極に挟まれた前記放電維持電極に対応する部分に隔壁が形成されていることを特徴とするプラズマディスプレイパネル。
【請求項３】
前面板に形成され互いに隣り合う電極に異なる電圧が印加される３本以上の放電維持電極と、放電空間を挟み対向する背面板に前記放電維持電極と交差する方向に形成されたアドレス電極とを備えた放電セルを有するプラズマディスプレイパネルであって，
前記放電空間と前記放電維持電極との間に形成された誘電体層の厚さが、前記放電セル内において前記放電維持電極のうち両側を前記放電維持電極に挟まれた前記放電維持電極の中心軸上を含む少なくとも一部において、その他の部分よりも厚いことを特徴とするプラズマディスプレイパネル。
【請求項４】
前記放電維持電極の中心軸上の少なくとも一部に形成された誘電体層に蛍光体が含まれたことを特徴としする請求項３に記載のプラズマディスプレイパネル。
【請求項５】
前面板に形成され互いに隣り合う電極に異なる電圧が印加される３本以上の放電維持電極と、放電空間を挟み対向する背面板に前記放電維持電極と交差する方向に形成されたアドレス電極とを備えた放電セルを有するプラズマディスプレイパネルであって，
前記放電空間と前記放電維持電極との間に形成された誘電体層の誘電率が、前記放電セル内において前記放電維持電極のうち両側を前記放電維持電極に挟まれた前記放電維持電極の中心軸上を含む少なくとも一部において、その他の部分よりも小さいことを特徴とするプラズマディスプレイパネル。
【請求項６】
前記放電セル内に複数の放電部が形成され、
前記複数の放電部の面積が互いに異なることを特徴とする請求項１〜請求項５のいずれかに記載のプラズマディスプレイパネル。
【請求項７】
放電セル内に複数の放電部が形成され、同時に放電する放電部の数と各放電部における放電回数を組み合わせることにより、表示階調制御することを特徴とするプラズマディスプレイパネルの駆動方法。
【請求項８】
前記放電セル内に形成された複数の放電部の面積が互いに異なることを特徴とする請求項７に記載のプラズマディスプレイパネルの駆動方法。
【請求項９】
請求項１〜請求項６のいずれかに記載のプラズマディスプレイパネルの駆動方法であって，
放電セル内に複数の放電部が形成され、同時に放電する放電部の数と各放電部における放電回数を組み合わせることにより、表示階調制御することを特徴とするプラズマディスプレイパネルの駆動方法。
【発明の詳細な説明】
【技術分野】
【０００１】
本発明は表示装置として用いられるプラズマディスプレイパネルに関し、特に高輝度化のためのパネル構造とその駆動方法に関するものである。
【背景技術】
【０００２】
現在、プラズマディスプレイパネルは、薄型の大型テレビや業務用表示装置として普及し始めている。
【０００３】
一般的なプラズマディスプレイパネルは、図７に示すように、互いに対向した前面板１と背面板２の間に放電ガスが封入されている。放電ガスとしては、ネオンとキセノンの混合ガスなどが一般的に用いられる。また、前面板１には放電維持電極としてバス電極と透明電極からなるスキャン電極３とサステイン電極４が互いに平行に形成されている。スキャン電極３およびサステイン電極４は誘電体層５によって被覆され、放電ガスに接する表面にはＭｇＯ膜からなる保護膜６が形成されている。一方、背面板２にはアドレス電極７と、アドレス電極７間に形成された隔壁８と、隔壁８によって区切られた空間に塗布された蛍光体９を具備している。
【０００４】
プラズマディスプレイパネルにおける駆動方法としては、アドレス電極７によって指定された放電セルにおいて、放電維持電極間で放電を発生させることによって画像の表示を行っている。表示の階調制御は、維持放電期間における放電回数によって制御し、放電回数の異なる複数の期間（サブフィールド）を階調に応じて選択することにより、階調表現された１枚の画像を表示することが可能となる。
【０００５】
このようなプラズマディスプレイパネルは、薄型で動画の表示品質に優れたディスプレイであるが、同様の薄型ディスプレイである液晶ディスプレイなどと比較すると、消費電力に対する輝度が低く、発光効率があまりよくないのが現状である。
【０００６】
このため、発光効率を向上し、輝度を上げる方法として、１つの放電セルに配置する放電維持電極を３本以上とし、同一セル内で複数の放電領域を形成する方法が提案されている（例えば、特許文献１および特許文献２参照）。
【０００７】
図８は、前記特許文献１に記載された従来のプラズマディスプレイパネルを示すものである。図８においては、放電セル内に３本の放電維持電極１０を具備しており、２ヶ所において、放電部１１を発生させることが可能となる。また、中央の放電維持電極１０は２つの放電部に共通の電極となっている。その他の構造は一般的なプラズマディスプレイパネルと同様である。
【０００８】
また、前記特許文献２では、３本の放電維持電極の間隔を互いに異なるように設定し、２回の放電が連続的に起きるような構成となっている。
【特許文献１】特開２０００−３５７４６２号公報（第１４−１７頁、図１６）
【特許文献２】特開２０００−２００５５４号公報（第５頁、図６）
【発明の開示】
【発明が解決しようとする課題】
【０００９】
しかしながら、プラズマディスプレイパネルにおいては、放電維持電極上の誘電体層に蓄積された電荷（壁電荷）を電界によって移動させることにより、放電を発生させている。また、放電の発生には統計的な時間遅れがあり、この時間遅れは壁電荷の量や構造によって変化することが知られている。
【００１０】
前記従来の構成では、複数の放電部に共通な放電維持電極上の誘電体層にはほぼ一様な壁電荷が蓄積されており、これにより発生する放電によって壁電荷が消費されるため、最初に発生した放電によって前記共通な放電維持電極上に相当する部分の壁電荷が変化してしまう。また、これにより、放電空間における電界強度分布も変化することになり、結果として複数の放電が発生しなかったり、放電の強度が変化したりするため、放電セル内での複数の放電部において、安定して確実に放電を発生させることが課題であった。
【００１１】
また、前記従来の構成では、放電部が複数となるが、放電部と蛍光体の距離および位置関係は、ほとんど改善されないため、蛍光体への放電発光の照射効率という点で課題があった。
【００１２】
本発明は、前記従来の課題を解決するもので、放電セル内において、複数箇所における放電を安定して確実に発生させると共に、蛍光体への放電発光の照射効率を改善することにより、輝度の高いプラズマディスプレイパネルおよびその駆動方法を提供することを目的とする。
【課題を解決するための手段】
【００１３】
前記従来の課題を解決するために、本発明のプラズマディスプレイパネルは、放電セル内に互いに隣り合う電極に異なる電圧が印加される３本以上の放電維持電極を有し、放電空間と放電維持電極との容量が、放電セル内において前記放電維持電極のうち両側を放電維持電極に挟まれた放電維持電極の中心軸上において、その他の部分よりも小さい。
【００１４】
本構成によって、放電セル内に複数の放電部が形成され、複数の放電部に共通な放電維持電極上の誘電体層には、それぞれの放電部に必要な壁電荷を分割して蓄積することができる。
【００１５】
また、本発明のプラズマディスプレイパネルは、放電セル内において前記放電維持電極のうち両側を放電維持電極に挟まれた放電維持電極の中心軸上に表面または内部に蛍光体を有する隔壁もしくは誘電体層を具備する。
【００１６】
本構成によって、放電セル内に形成された複数の放電部に蛍光体を近接させることが可能となる。
【００１７】
また、本発明のプラズマディスプレイパネルの駆動方法は、放電セル内に複数の放電部が形成され、同時に放電する放電部の数と各放電部における放電回数を組み合わせることにより、表示階調の制御を行う。
【００１８】
本方法によって、複数の放電部を同時に放電発光させることにより、同等の輝度を少ない放電回数で実現することができるため、従来の方法と比べて短い時間で同等の階調表現が可能となる。
【発明の効果】
【００１９】
本発明のプラズマディスプレイパネルによれば、複数の放電部に共通な放電維持電極上の誘電体層に蓄積された壁電荷が最初の放電で消費されてしまうことが防止できるため、複数箇所における放電を安定して確実に発生させることができる。これにより、安定して輝度の高いプラズマディスプレイパネルを実現することができる。
【００２０】
また、本発明のプラズマディスプレイパネルによれば、放電部と蛍光体が近接しているため、蛍光体への放電発光の照射効率が向上し、さらに輝度の高いプラズマディスプレイパネルを実現することができる。
【００２１】
また、本発明のプラズマディスプレイパネルの駆動方法によれば、階調表現に必要な時間が短縮されるため、短縮された時間を放電回数の増加に利用すれば、プラズマディスプレイパネルの輝度を向上させることができる。また、擬似輪郭等の表示品質を向上させるためのサブフィールドを追加すれば、画質を向上させることができる。また、アドレスのための時間に利用すれば、確実なアドレスによって画質を向上させたり、駆動ドライバーの負担を軽減することにより、コストを削減することができる。
【発明を実施するための最良の形態】
【００２２】
以下、本発明の実施の形態について、図面を参照しながら説明する。
【００２３】
（実施の形態１）
図１および図２は、本発明の実施の形態１におけるプラズマディスプレイパネルの放電セルの断面図および平面図である。図１および図２において、図６と同じ構成要素については同じ符号を用い、説明を省略する。
【００２４】
図１および図２において、放電セル内には３本の放電維持電極を有しており、２つの放電部を形成している。中央のスキャン電極３は２つの放電部に共通な放電維持電極であり、サステイン電極４は放電部ごとに独立している。
【００２５】
図１に示すように、前面板１には、スキャン電極３およびサステイン電極４からなる放電維持電極、ブラックストライプ１２、誘電体層５ａが形成され、誘電体層５ａ表面には図示しないＭｇＯ膜からなる保護膜が形成されている。
【００２６】
また、背面板２には、アドレス電極７、誘電体層５ｂが順次形成され、誘電体層５ｂ上には放電セルを囲う井桁状の隔壁８とともに、中央の共通放電維持電極であるスキャン電極３の中心軸に対応する部分にも隔壁８を形成している。この共通放電維持電極（スキャン電極３）下の隔壁８は、共通放電維持電極（スキャン電極３）によって蓄積される壁電荷を分割する役目を果たしており、これにより複数箇所での放電を確実に、また安定して発生させることができる。
【００２７】
さらに、共通放電維持電極（スキャン電極３）下の隔壁８にも蛍光体９が塗布されているため、蛍光体９の表面積が増大すると共に、放電部１１と蛍光体９との距離が近接しているため、放電発光を効率的に利用することが可能となる。
【００２８】
さらに、共通放電維持電極（スキャン電極３）下の隔壁８は、金属膜からなるバス電極下に形成されているため、隔壁８による蛍光体発光の遮光は無視できる。
【００２９】
なお、本実施の形態１において、隔壁８として放電セルを囲う井桁状の隔壁を設けたが、これをストライプ状の隔壁としても良い。ただし、この場合にも共通放電維持電極下には隔壁が必要である。
【００３０】
なお、本実施の形態１において、共通放電維持電極をスキャン電極３とし、その両側をサステイン電極４としたが、共通放電維持電極をサステイン電極４とし、その両側をスキャン電極３としてもよい。
【００３１】
（実施の形態２）
図３は、本発明の実施の形態２のプラズマディスプレイパネルの放電セルの断面図である。図３において、図１と同じ構成要素については同じ符号を用い、説明を省略する。
【００３２】
図３に示すように、放電セル内の前面板１には３本の放電維持電極の他に、ブラックストライプ１２および誘電体層５ａを具備しており、２つの放電部を形成している。３本の放電維持電極のうち、中央のスキャン電極３は２つの放電部に共通な放電維持電極であり、サステイン電極４は放電部ごとに独立している。
【００３３】
さらに、複数の放電部に共通な放電維持電極（本実施の形態２においてはスキャン電極３）の中心軸上に対応する部分には、第２の誘電体層１３を具備している。また、本実施の形態２においては、放電セルの境界部となるブラックストライプ１２の下部においても、第２の誘電体層１３を具備している。
【００３４】
なお、誘電体層５ａの放電空間と接する表面には、図示しないＭｇＯ膜からなる保護膜が形成されている。
【００３５】
このような構成により、複数の放電部に共通な放電維持電極（スキャン電極３）の中心軸上における放電空間と放電維持電極との容量をその他の部分よりも小さくすることができる。これにより、複数の放電部に共通な放電維持電極（スキャン電極３）によって蓄積される壁電荷が放電部ごとに分割されるため、最初の放電にて他の放電部のための壁電荷が消費されることを防止することが可能となる。したがって、複数箇所での放電を確実に、また安定して発生させることができる。
【００３６】
また、本実施の形態２において、共通放電維持電極（スキャン電極３）下の第２の誘電体層１３は、金属膜からなるバス電極下に形成されているため、第２の誘電体層１３での遮光による蛍光体発光の透過率の低下を防止することができる。
【００３７】
また、本実施の形態２において、ブラックストライプ１２の下部においても第２の誘電体層１３を具備しているため、隣接する放電セルへの光漏れや放電漏れによるクロストークを防止することが可能である。
【００３８】
また、背面板２には、アドレス電極７、誘電体層５ｂが順次形成され、誘電体層５ｂ上には放電セルを囲うストライプ状の隔壁（図示しない）を形成している。そして、背面板側の放電セルの内面には蛍光体９が塗布されている。
【００３９】
なお、本実施の形態２において、隔壁としてストライプ状の隔壁を設けたが、これを放電セルを囲う井桁状の隔壁としても良い。
【００４０】
なお、本実施の形態２において、共通放電維持電極をスキャン電極３とし、その両側をサステイン電極４としたが、共通放電維持電極をサステイン電極４とし、その両側をスキャン電極３としてもよい。
【００４１】
（実施の形態３）
図４は、本発明の実施の形態３のプラズマディスプレイパネルの放電セルの断面図である。図４において、図１および図３と同じ構成要素については同じ符号を用い、説明を省略する。
【００４２】
図４に示すように、放電セル内の前面板１には３本の放電維持電極の他に、ブラックストライプ１２および誘電体層５を具備しており、２つの放電部を形成している。３本の放電維持電極のうち、中央のスキャン電極３は２つの放電部に共通な放電維持電極であり、サステイン電極４は放電部ごとに独立している。
【００４３】
さらに、複数の放電部に共通な放電維持電極（本実施の形態３においてはスキャン電極３）の中心軸上に対応する部分には、蛍光体を含有する第２の誘電体層１３を具備している。
【００４４】
なお、誘電体層５ａの放電空間と接する表面には、図示しないＭｇＯ膜からなる保護膜が形成されている。
【００４５】
このような構成により、複数の放電部に共通な放電維持電極（スキャン電極３）の中心軸上における放電空間と放電維持電極との容量をその他の部分よりも小さくすることができる。これにより、複数の放電部に共通な放電維持電極（スキャン電極３）によって蓄積される壁電荷が放電部ごとに分割されるため、最初の放電にて他の放電部のための壁電荷が消費されることを防止することが可能となる。したがって、複数箇所での放電を確実に、また安定して発生させることができる。
【００４６】
さらに、本実施の形態３においては第２の誘電体層１３に蛍光体を含んでいるため、蛍光体の表面積が増大すると共に、放電部１１と蛍光体９との距離が近接しているため、放電発光を効率的に利用することが可能となる。
【００４７】
また、本実施の形態３において、共通放電維持電極（スキャン電極３）下の第２の誘電体層１３は、金属膜からなるバス電極下に形成されているため、第２の誘電体層１３での遮光による蛍光体発光の透過率の低下を防止することができる。
【００４８】
また、背面板２には、アドレス電極７、誘電体層５ｂが順次形成され、誘電体層５ｂ上には放電セルを囲う井桁状の隔壁８を具備している。そして、背面板側の放電セルの内面には蛍光体９が塗布されている。
【００４９】
なお、本実施の形態３において、隔壁８として放電セルを囲う井桁状の隔壁を設けたが、これをストライプ状の隔壁としても良い。
【００５０】
なお、本実施の形態３において、共通放電維持電極をスキャン電極３とし、その両側をサステイン電極４としたが、共通放電維持電極をサステイン電極４とし、その両側をスキャン電極３としてもよい。
【００５１】
（実施の形態４）
本発明の実施の形態４は、誘電体層の誘電率を部分的に小さくすることによって、放電維持電極の中心軸上の容量をその他の部分に比べて小さくしたプラズマディスプレイパネルに関する。
【００５２】
図５は、本実施の形態４のプラズマディスプレイパネルの放電セルの断面図である。図５に示すように、放電セル内の前面板１には３本の放電維持電極の他に、ブラックストライプ１２および誘電体層５ａを具備しており、２つの放電部を形成している。３本の放電維持電極のうち、中央のスキャン電極３は２つの放電部に共通な放電維持電極であり、サステイン電極４は放電部ごとに独立している。
【００５３】
さらに、複数の放電部に共通な放電維持電極（本実施の形態４においてはスキャン電極３）の中心軸上には、誘電体層５ａの代わりに前記誘電体５ａよりも誘電率の低い第２の誘電体層１３を具備している。本実施の形態４において、誘電体５ａおよび第２の誘電体層１３はスクリーン印刷法によって形成されている。
【００５４】
なお、誘電体層５ａの放電空間と接する表面には、図示しないＭｇＯ膜からなる保護膜が形成されている。
【００５５】
このような構成により、複数の放電部に共通な放電維持電極（スキャン電極３）の中心軸上における放電空間と放電維持電極との容量をその他の部分よりも小さくすることができる。これにより、複数の放電部に共通な放電維持電極（スキャン電極３）によって蓄積される壁電荷が放電部ごとに分割されるため、最初の放電にて他の放電部のための壁電荷が消費されることを防止することが可能となる。したがって、複数箇所での放電を確実に、また安定して発生させることができる。
【００５６】
また、背面板２には、アドレス電極７、誘電体層５ｂが順次形成され、誘電体層５ｂ上には放電セルを囲う井桁状の隔壁８を具備している。そして、背面板側の放電セルの内面には蛍光体９が塗布されている。
【００５７】
なお、本実施の形態４において、隔壁８として放電セルを囲う井桁状の隔壁を設けたが、これをストライプ状の隔壁としても良い。
【００５８】
なお、本実施の形態４において、共通放電維持電極をスキャン電極３とし、その両側をサステイン電極４としたが、共通放電維持電極をサステイン電極４とし、その両側をスキャン電極３としてもよい。
【００５９】
なお、本実施の形態４において、誘電体層５ａおよび第２の誘電体層１３はスクリーン印刷法によって形成したが、誘電体層５ａを全面に形成した後、イオンドーピング等により部分的に誘電体層５ａを改質して第２の誘電体層１３を形成してもよい。
【００６０】
（実施の形態５）
本発明の実施の形態５は、本発明のプラズマディスプレイパネルの駆動方法に関する。
【００６１】
プラズマディスプレイパネルでは、６０Ｈｚの周波数で画像を連続的に変化させることにより、動画を作り出している。また、プラズマディスプレイパネルでは、画面全体が同時に発光するため、１枚のフィールド画像における階調表現をいくつかのサブフィールドに分けて行う。
【００６２】
従来の駆動方法におけるフレームの構成を図９に示す。従来の階調表現の方法としては、１フィールドを８つのサブフィールドに分割し、それぞれのサブフィールドにおける発光の輝度が１：２：４：８：１６：３２：６４：１２８となるように、維持放電期間１６における維持放電の回数を制御し、これらサブフィールドの組み合わせにより２５６階調の階調表現をしている。また、各サブフィールドにおいては、放電セルの初期化や発光させるセルの選択を行うために、一定の初期化・書き込み期間１５が必要である。
【００６３】
これに対し、本発明のプラズマディスプレイパネルの駆動方法では、放電セル内に複数の放電部が形成され、同時に放電する放電部の数と各放電部における放電回数を組み合わせることにより、表示階調の制御を行う。
【００６４】
この駆動方法により、放電部の数で輝度を変化させることができるため、複数の放電部で同時に発光させた場合には、放電回数を従来に比べて減らすことが可能となる。これにより、最低限の階調を表現する時間が短くなるため、１フィールド内の余剰時間を輝度の向上、安定した書き込み、階調性の向上など、画質を向上させるために振り分けることができる。
【００６５】
図６は本発明のプラズマディスプレイパネルの駆動方法におけるフレームの構成を示す図である。放電セルには２つの放電部を具備し、２つ同時に放電させた場合には、１つの場合に比べ、維持放電の回数は半分で済む。
【００６６】
図５（ａ）は、本発明の駆動方法において、従来と同じ画質の画像を表示するためのフレームの構成を示しており、サブフィールド１〜４は、１つの放電部で維持放電を発生させる１倍維持放電期間１７、サブフィールド５〜８は、２つの放電部で維持放電を発生させる２倍維持放電期間１８を具備している。また、図５（ａ）にあるように、１フィールド内に余剰時間１９がある。この余剰時間１９を階調性の向上に用いた例を図５（ｂ）に示す。図５（ｂ）では、サブフィールドの数を増やすことにより、より階調性の高い表示が可能となり、また擬似輪郭の防止等の動画表示品質の向上を行うことが可能となる。これにより、画像の表示品質が向上する。
【００６７】
また、図５（ｄ）では、初期化・書き込み期間１５を従来に比べて長くすることにより、放電セルの初期化や書き込みアドレスを確実に安定して行うことができるため、画素欠陥などが低減されて画質が向上する。また、従来では初期化・書き込み期間が足りないために、走査ラインを画面内で上下２分割し、２つの駆動ＩＣで分割して駆動していたものを、１つの駆動ＩＣで全面を駆動することが可能となるため、駆動ＩＣのコストを削減することができる。プラズマディスプレイパネルにおいては、駆動ＩＣのコスト比率が高いため、コスト削減の効果は大きく、低価格なプラズマディスプレイパネルを実現できる。
【００６８】
また、従来に比べて輝度の向上が可能な駆動方法の実施例を図５（ｃ）に示す。図５（ｃ）では、各サブフィールドにおける維持放電の回数を従来よりも増加させているため、表示輝度が向上する。これにより、明るい画像表示が可能となり、画質が向上する。
【００６９】
（実施の形態６）
本発明の実施の形態６は、本発明のプラズマディスプレイパネルの駆動方法に関する。特に、放電セル内に複数の放電部が形成され、前記複数の放電部の面積が互いに異なることを特徴としている。
【００７０】
実施の形態５においては、２つの放電部が形成され、維持放電期間に発生させる放電部の数と放電回数によって階調表現を行ったが、本実施の形態６においては、２つの放電部（放電部Ａおよび放電部Ｂ）の面積が異なるため、放電部の組み合わせによっても階調表現が可能となる。
【００７１】
具体的には、実施の形態５においては、放電部の数で２階調の表現が可能であるが、本実施の形態６においては、放電部Ａ、放電部Ｂ、および放電部Ａ＋放電部Ｂの３階調の表現が可能となる。これを利用し、放電部の組み合わせと放電回数を制御することにより、従来よりもさらに階調性の高い表示が可能となる。
【００７２】
なお、本実施の形態６においては、放電部が２つであるが、これを３つ以上としてもよい。また、放電部の数が増えるほど、その組み合わせによって表現できる階調が増えるため、望ましい。
【産業上の利用可能性】
【００７３】
本発明にかかるプラズマディスプレイパネルは、大型テレビ等として有用である。また、業務用表示装置等の用途にも応用できる。
【図面の簡単な説明】
【００７４】
【図１】本発明の実施の形態１におけるプラズマディスプレイパネルの放電セルの断面図
【図２】本発明の実施の形態１におけるプラズマディスプレイパネルの放電セルの平面図
【図３】本発明の実施の形態２におけるプラズマディスプレイパネルの放電セルの断面図
【図４】本発明の実施の形態３におけるプラズマディスプレイパネルの放電セルの断面図
【図５】本発明の実施の形態４におけるプラズマディスプレイパネルの放電セルの断面図
【図６】本発明の駆動方法におけるフレームの構成を示す図
【図７】従来のプラズマディスプレイパネルの概略図
【図８】従来のプラズマディスプレイパネルにおける放電セルの断面図
【図９】従来の駆動方法におけるフレームの構成を示す図
【符号の説明】
【００７５】
１    前面板
２    背面板
３    スキャン電極
４    サステイン電極
５    誘電体層
６    保護膜
７    アドレス電極
８    隔壁
９    蛍光体
１０    放電維持電極
１１    放電部
１２    ブラックストライプ
１３    第２の誘電体層
１５    初期化・書き込み期間
１６    維持放電期間
１７    １倍維持放電期間
１８    ２倍維持放電期間
１９    余剰時間
【図１】
2005071904.tif 000003
【図２】
2005071904.tif 000004
【図３】
2005071904.tif 000005
【図４】
2005071904.tif 000006
【図５】
2005071904.tif 000007
【図６】
2005071904.tif 000008
【図７】
2005071904.tif 000009
【図８】
2005071904.tif 000010
【図９】
2005071904.tif 000011